(57)【要約】【課題】  およそ上部直径１８ｃｍの雪平鍋を典型的とする、一般に広く普及している小型の片手鍋は、その形・大きさから、洗いやすく、扱いやすく、沸騰が早い等の利点があるため、少量の食材をゆでたり、煮たりするのに大変便利である。  それらの利便性ゆえ、少量のスパゲティをゆでる時には、この鍋を使うことも多いが、スパゲティは約２５ｃｍの長さがあるため、投入すると鍋からはみ出してしまう。そのため、スパゲティを手で押しながら、箸を使って湯に沈める等の作業が必要となる。  この作業は、手間と時間を使い、火傷の危険性を伴い、ゆで時間にムラを生じさせる。さらに、スパゲティ投入時に火を弱めないと、はみ出した部分が焦げてしまう。【解決手段】  鍋の一部を、スパゲティがはみ出さないで湯に浸かるように変形することにより、鍋の機能をほとんど落とすことなく、より手軽に快適に安全にスパゲティをゆでる機能が加わる。【選択図】図１
0003131714.tif 000002
【実用新案登録請求の範囲】
【請求項１】
小型の片手鍋（上部直径１８センチメートル程の雪平鍋が典型モデル）の一部を変形することにより、従来の利便性をほとんど失わずに、スパゲティを快適にゆでる機能を加えた鍋の考案。
【請求項２】
機能を加えても、従来の小型の片手鍋の利便性をほとんど失わないという特徴。
【考案の詳細な説明】
【技術分野】
【０００１】  本考案は調理器具としての小型の片手鍋に関する。
【背景技術】
【０００２】  調理器具として一般に広く普及している小型の片手鍋が、本考案の背景技術である。小型の雪平鍋（およそ上部直径１８ｃｍ、下部直径１３．５ｃｍ、高さ７．５ｃｍ、取っ手の長さ１７ｃｍ）が典型的である。中型・大型（特に上部直径２５ｃｍ以上）の鍋は、本考案の都合上、対象外となる。
【考案の開示】
【考案が解決しようとする課題】
【０００３】  小型の片手鍋は、その形・大きさから、洗いやすく、扱いやすく、水が沸騰するまでの時間が短い等の利点があるため、少量の食材をゆでたり、煮たりするのに大変便利である。また、一人前の即席ラーメン等を作り、食器に移さないでそのまま食べることができるのも、特徴的であり、小型の片手鍋は、日常の調理に頻繁に使用される。【０００４】  その利便性ゆえ、一人前か二人前のスパゲティ（８０ｇから２５０ｇぐらいまで）をゆでる時には、この鍋を使うことも多い。しかし、スパゲティは約２５ｃｍの長さがあるため、投入すると鍋からはみ出してしまう。そのため、スパゲティを手で押しながら、箸を使って湯に沈める等の作業が必要となる。【０００５】  この作業は、手間と時間を使う。火傷の危険性もあるため、注意深さが要求されるので気疲れもする。太目のスパゲティをゆでる時は、なおさらである。また、必然的にゆで時間にムラが生じることになる。さらに、スパゲティ投入時に火を弱めていないと、はみ出した部分が焦げてしまう。
【課題を解決するための手段】
【０００６】  鍋の一部を、従来の機能を落とさないように工夫して変形することにより、スパゲティをより手軽に、快適にゆでる機能を加える。
【考案の効果】
【０００７】  従来の小型片手鍋の利便性（片手・洗いやすさ・沸騰までの時間等）をほとんど落とさずに、スパゲティをゆでる際の手間や時間を省略できる。
【考案を実施するための最良の形態】
【０００８】  従来の小型片手鍋の右側または左側を変形させることにより、スパゲティ投入時にその全部が湯につかることを可能にする形態。
【実施例】
【０００９】  図面に示した形が原則的な実施例である。変形部は、右利き用には右側に、左利き用には左側に付けられることになる。また、変形部のかたち、長さ、深さなどは製品により若干異なることになっても特に問題はない。【００１０】  鍋の中の水が沸騰し、スパゲティを投入すると、従来と異なり麺の全部が湯に触れることになる。そのまましばらく置けば麺がやわらかくなるので、箸などでかき回して、麺が鍋の底に沈むようにすればよい。従来の小型鍋からはみ出した麺を沈める手間と時間が省略される。
【図面の簡単な説明】
【図１】  本考案を示した平面図である。
【図２】  本考案を示した側面図である。
【符号の説明】
１  本考案の特徴である変形部（およそ長さ５〜７ｃｍ、深さ３〜４ｃｍが適当である）
２  鍋の取っ手（およそ長さ１７ｃｍが典型的である）
３  鍋の本体（およそ上部直径１８ｃｍ、下部直径１３．５ｃｍ、高さ７．５ｃｍが典型的である）
【図１】
0003131714.tif 000003
【図２】
0003131714.tif 000004
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
上部直径およそ１８センチメートルの雪平鍋を典型的とする小型の片手鍋を一部変形することにより、スパゲティがはみ出さないで湯に浸かることを可能とする構造を有する鍋。
【請求項２】
スパゲティを快適・安全に茹でる機能を加えても、小型の片手鍋の利便性をほとんど失わないことを特徴とする請求項１記載の鍋。
【手続補正２】
【補正対象書類名】明細書
【補正対象項目名】全文
【補正方法】変更
【補正の内容】
【考案の詳細な説明】
【技術分野】
【０００１】  本考案は調理器具としての小型の片手鍋に関する。
【背景技術】
【０００２】  調理器具として一般に広く普及している小型の片手鍋が、本考案の背景技術である。小型の雪平鍋（およそ上部直径１８ｃｍ、下部直径１３．５ｃｍ、高さ７．５ｃｍ、取っ手の長さ１７ｃｍ）が典型的である。中型・大型（特に上部直径２５ｃｍ以上）の鍋は、本考案の都合上、もともとスパゲティが鍋からはみ出すことがないため、対象外となる。
【考案の開示】
【考案が解決しようとする課題】
【０００３】  小型の片手鍋は、その形・大きさから、洗いやすく、扱いやすく、水が沸騰するまでの時間が短い等の利点があるため、少量の食材をゆでたり、煮たりするのに大変便利である。また、一人前の即席ラーメン等を作り、食器に移さないでそのまま食べることができるのも、特徴的であり、小型の片手鍋は、日常の調理に頻繁に使用される。【０００４】  それらの利便性ゆえ、一人前か二人前のスパゲティ（８０ｇから２５０ｇぐらいまで）をゆでる時には、この鍋を使うことも多い。しかし、スパゲティは約２５ｃｍの長さがあるため、投入すると鍋からはみ出してしまう。そのため、スパゲティを手で押しながら、箸を使って湯に沈める等の作業が必要となる。【０００５】  この作業は、手間と時間を使う。火傷の危険性もあるため、注意深さが要求されるので気疲れもする。太目のスパゲティをゆでる時は、なおさらである。また、必然的にゆで時間にムラが生じることになる。さらに、スパゲティ投入時に火を弱めていないと、はみ出した部分が焦げてしまう。
【課題を解決するための手段】
【０００６】  鍋の一部を変形することにより、スパゲティがはみ出さないで湯に浸かることが可能となり、鍋の機能を落とすことなく、より手軽に、快適に、さらに安全にゆでることができる機能が加わる。
【考案の効果】
【０００７】  小型片手鍋の利便性（片手・洗いやすさ・沸騰までの時間等）をほとんど落とさずに、スパゲティをゆでる際の手間や時間、危険性を軽減できる。
【考案を実施するための最良の形態】
【０００８】  小型片手鍋の右側または左側を変形させることにより、スパゲティ投入時にその全部が湯につかることを可能にする形態。
【実施例】
【０００９】  図面に示した形が原則的な実施例である。変形部は、右利き用には右側に、左利き用には左側に付けられることになる。また、変形部のかたち、長さ、深さなどは製品により若干異なることになると考えられる。【００１０】  鍋の中の水が沸騰し、スパゲティを投入すると、麺の全部が湯に触れることになる。そのまましばらく置けば麺がやわらかくなるので、箸などでかき回して、麺が鍋の底に沈むようにすればよい。はみ出した麺を沈める手間と時間、危険性が軽減される。
【図面の簡単な説明】
【図１】  本考案を示した平面図である。
【図２】  本考案を示した側面図である。
【符号の説明】
１    本考案の特徴である変形部（およそ長さ５〜７ｃｍ、深さ３〜４ｃｍが適当である）
２    鍋の取っ手（およそ長さ１７ｃｍが典型的である）
３    鍋の本体（およそ上部直径１８ｃｍ、下部直径１３．５ｃｍ、高さ７．５ｃｍが典型的である）
【手続補正書】
【提出日】平成19年2月18日(2007.2.18)
【手続補正１】
【補正対象書類名】手続補正書
【補正対象項目名】手続補正３
【補正方法】削除
【補正の内容】